(57)【特許請求の範囲】
【請求項１】
籾または玄米を投入する投入ホッパ（１２）と、籾を籾摺処理する籾摺機（１４）と、この籾摺機（１４）により、籾摺された処理米を精白処理する精米機（１６）と、精米機（１６）の排出口にあって精白度を調節する圧迫板と、精白度を選択する操作部（１１ａ）と、操作部（１１ａ）で選択した精白度に基づき圧迫板を制御する制御部とを備え、
投入ホッパ（１２）に玄米を投入した場合には籾摺機（１４）による籾摺り処理を行なわずに精米機（１６）で精米処理し、投入ホッパ（１２）に籾を投入した場合には籾摺機（１４）で籾摺り処理を行ってから精米機（１６）で精白処理を行なう籾摺精米設備において、
前記投入ホッパ（１２）に受けた籾または玄米について、その何れか該当種別を識別する米種識別手段（１２ｄ）を設け、
前記制御部は、精米作業終了間際の信号を検出すると、投入ホッパ（１２）に玄米を投入した場合には、精米機（１６）が停止するまでの間、操作部（１１ａ）で選択した精白度のままで精白処理を行なうよう制御し、
投入ホッパ（１２）に籾を投入した場合には、精米機（１６）が停止するまでの間、操作部（１１ａ）で選択した精白度からさらに精白度を上げて精白処理を行なうよう制御することを特徴とする籾摺精米設備。
【発明の詳細な説明】
【技術分野】
【０００１】
本発明は、籾摺機および精米機を備えて料金分の籾について籾摺精米処理を全自動で処理する籾摺精米設備に関するものである。
【背景技術】
【０００２】
籾摺精米設備は、一例として特許文献１に示されるように、籾摺機および精米機を備えて構成され、投入された籾または玄米について料金分の精米処理を全自動で処理する籾摺精米設備が知られている。この籾摺精米設備は、籾摺機、精米機および関連機器を中心に、籾を投入するための投入ホッパおよび精米処理された精白米を取出すための白米タンクを備えて構成され、一連の処理が制御部によって自動運転される。
【０００３】
利用者は、籾を投入ホッパに投入し、次いで必要な金額のコインを投入することにより、投入ホッパの繰出装置が所定時間の稼動によって課金単位分の籾を取込んで籾摺精米処理し、投入金額の範囲でこれを繰り返すことにより、投入籾を籾摺精米して白米タンクから受取ることができる。
【特許文献１】特開２００２−３５６１８号公報
【発明の開示】
【発明が解決しようとする課題】
【０００４】
しかしながら、上記構成の籾摺精米設備の籾摺機は、籾摺精米処理が終わりに近づくと籾摺頭部に供給される籾量の減少により脱ぷ率が低下し、この籾摺が不十分な玄米を精米機に入れると籾殻が残ったまま白米タンクに送られることから、その部分を除かない限り、籾混じりの問題が避けられなかった。
【０００５】
解決しようとする問題点は、装置構成の複雑化を招くことなく、籾摺精米の終了間際の籾摺りが不十分な処理米を含む投入籾の全量について一定の精白度を確保することができる籾摺精米設備を提供することにある。
【課題を解決するための手段】
【０００６】
請求項１に係る発明は、籾または玄米を投入する投入ホッパ（１２）と、籾を籾摺処理する籾摺機（１４）と、この籾摺機（１４）により、籾摺された処理米を精白処理する精米機（１６）と、精米機（１６）の排出口にあって精白度を調節する圧迫板と、精白度を選択する操作部（１１ａ）と、操作部（１１ａ）で選択した精白度に基づき圧迫板を制御する制御部とを備え、
投入ホッパ（１２）に玄米を投入した場合には籾摺機（１４）による籾摺り処理を行なわずに精米機（１６）で精米処理し、投入ホッパ（１２）に籾を投入した場合には籾摺機（１４）で籾摺り処理を行ってから精米機（１６）で精白処理を行なう籾摺精米設備において、
前記投入ホッパ（１２）に受けた籾または玄米について、その何れか該当種別を識別する米種識別手段（１２ｄ）を設け、
前記制御部は、精米作業終了間際の信号を検出すると、投入ホッパ（１２）に玄米を投入した場合には、精米機（１６）が停止するまでの間、操作部（１１ａ）で選択した精白度のままで精白処理を行なうよう制御し、
投入ホッパ（１２）に籾を投入した場合には、精米機（１６）が停止するまでの間、操作部（１１ａ）で選択した精白度からさらに精白度を上げて精白処理を行なうよう制御することを特徴とする。
【０００７】
上記構成により、籾摺機に受けた籾は玄米に処理されて精米機に渡され、精米機に渡された玄米は所定の精白度で精白されることにより籾が籾摺精米され、この過程において、籾摺精米終了間際の籾量の減少に伴って籾摺りが不十分となる処理米について、そのタイミングを検出する検出信号に基づき、終了までの間、上記精米機が制御部により精白度を上げて稼動制御され、この精白処理によって籾摺りの不足が補われる。
【発明の効果】
【０００８】
請求項１の籾摺精米設備は、籾摺精米の過程において、籾摺精米終了間際以降の精米処理における精白度の調節により、籾摺りが不十分な処理米についてその不足を補うことができるので、装置構成の複雑化を招くことなく、籾摺精米の終了間際以降を含む籾の全量について一定の精白度を確保して籾摺精米をすることができる。
【発明を実施するための最良の形態】
【０００９】
上記技術思想に基づいて具体的に構成された実施の形態について以下に図面を参照しつつ説明する。
籾摺精米設備は、その一構成例についてのシステム展開図を図１に示すように、投入された穀粒を受ける投入ホッパ１２と穀粒の取出が可能な白米タンク１３が客室に臨んで設けられるほか、上記投入ホッパ１２から受けた穀粒を上位排出する第１昇降機１４ｅと、この第１昇降機１４ｅから受けた穀粒を籾摺ロール１４ａによって籾摺りする籾摺機１４と、この籾摺機１４から受けた穀粒中の異物を振動選別するために選米出口１５ｂと残米出口１５ｃを前後端に配置した異物選別機１５と、その選米出口１５ｂから受けた穀粒を上位排出する第２昇降機１６ｅと、この第２昇降機１６ｅから玄米タンク１６ｔに受けた穀粒を精米して上記白米タンク１３に供給する精米機１６と、これらを統括制御する制御部等から構成される。
【００１０】
投入ホッパ１２には、穀粒投入を検出する穀粒センサ１２ｂおよび投入穀粒が籾か玄米かを判別する判別手段として米種センサ１２ｄを設ける。玄米の場合は、籾摺機１４は、籾摺ロール１４ａの間隙を開いて籾摺作用なしに玄米をそのまま通過する。玄米タンク１６ｔには、オーバーフローを検出する玄米タンク満量センサ１６ｆおよび玄米の有無を検出する玄米タンク下限センサ１６ｂを設け、これらセンサの検出信号に応じて制御部が後述のように機器の稼働を制御する。精米機１６は、その排出口側に備える図示しない圧迫板を制御部の制御指令により移動調節して精白度制御可能に構成する。また、精米機１６は切換制御可能な排出路１６ａを介して白米タンク１３と接続し、その切換弁１６ｊにより精米機充填初期の搗精圧が上がるまでの初期精白処理米を貯留するチャージタンク１６ｃを設け、この初期精白処理米は全玄米の精米終了間際に第２昇降機１６ｅを介して精米機１６に追加供給することにより全玄米を精白処理する。
【００１１】
還元用切換弁１４ｐは、投入ホッパ１２内に少量の穀粒が料金不足等で残留した際に第１昇降機１４ｅから還元通路１４ｑを経て投入ホッパ１２の上方の還元口１４ｒに排出するための切換部である。異物選別機１５の残米出口１５ｃは、玄米が尽きたときに、第１昇降機１４ｅから残米送路１４ｇと第２昇降機１６ｅによって精米機１６に送られて全量が精米処理される。
【００１２】
籾摺精米設備は、その機器配置図を図２に示すように、矩形の建屋１内に機械室２とその前側の操作スペースとしての客室３とを仕切壁１１で仕切る。本実施の形態では客室３側を前、機械室２側を後ろとする。
【００１３】
機械室２には、仕切壁１１の後方に突出する投入ホッパ１２から第１昇降機１４ｅを介してその側方に籾摺機１４を配置し、その下方で投入ホッパ１２の横位置に石抜等の異物選別機１５を奥側に向けて配置する。この異物選別機１５の側方に第２昇降機１６ｅを配置し、この第２昇降機１６ｅに選米出口１５ｂおよび残米送路１４ｇとともに精米機１６の排出路１６ａを集合連通して循環精米する。そのほか、機械室２後部には、精米機１６から接続する糠吸引部１６ｆを介して糠袋１６ｂを配置し、また、客室３側まで移送ダクト１６ｄを分岐する。
【００１４】
客室３側は、図３の仕切壁の客室側正面図に示すように、籾投入用の投入ホッパ１２と白米取出し用の白米タンク１３を客室３に臨んで配置し、また、仕切壁１１には精米処理の精白度の指定や料金投入のための操作部（操作盤）１１ａを設ける。白米タンク１３下部に設けた取出部には小袋対応のために引出式の中段受台１３ｂを組み込んで構成する。その側方に上記移送ダクト１６ｄの先端を客室３に臨む糠取出部１６ｐに開口する。操作盤１１ａまたは金庫ボックスは、投入ホッパ１２、第１昇降機１４ｅ、異物選別機１５のメンテナンスのためにメンテナンス扉として構成する。
【００１５】
（運転制御）
上記構成の籾摺精米設備の運転制御は、図４の見取図に示す操作部１１ａに従い、投入コインがコイン処理部１１ｂで処理され、餅利用時は餅ボタン１１ｃを押し、「上白」「標準」「８ぶ」の中から好みの白度を選択する白度ボタン１１ｄにより対応の精米処理が設定されて籾摺精米設備が起動される。
【００１６】
籾摺精米設備の起動により、投入ホッパ１２内に投入された籾は第１昇降機１４ｅから籾摺機１４、異物選別機１５にて籾摺と異物選別処理がなされる。玄米が投入された場合は、米種センサ１２ｄで判別され、籾摺ロール１４ａを開いた籾摺機１４をそのまま通過して異物選別機１５に入る。さらに、第２昇降機１６ｅから精米機１６により精米処理されて白米タンク１３から取出し可能となる。また、チャージタンク１６ｃには初期精米による処理米が一時貯留される。
【００１７】
（終了制御）
処理するべき籾全量について籾摺精米が終了に近づいた時点においては、制御部が籾摺精米終了間際であることを検出する信号に基づき所定時間の経過後に精米機が停止して籾摺精米設備の全ての装置が停止するまでの間、チャージタンク１６ｃの一時貯留の初期精白処理米を含めて所定時間の精米処理を経た後に白米タンク１３に全量を排出する。この時、精米機１６の精白度は、玄米投入時は一定のままであるが、籾投入時は精白度を更に上げて稼動制御する。籾摺精米終了間際であることの検出は、投入ホッパ１２の穀粒センサ１２ｂのオフの検出によって判定し、また、玄米タンク下限センサ１６ｂがオフ、コイン処理部１１ｂにおける籾摺精米処理料金の全引去りの検出によって判定してもよい。
【００１８】
上記のように籾摺精米設備を構成することにより、籾摺機１４に受けた籾は玄米に処理されて精米機１６に渡され、精米機１６に渡された玄米は所定の精白度で精白されることにより籾が籾摺精米され、籾摺精米処理の終了間際で精白度を上げて精米機１６が稼動制御され、この精米機１６の精白処理により、終了までの間について籾摺りの不足が補われ、籾の全量について一定の精白度を確保することができる。
【００１９】
また、このような精米機１６の精白度調節に代えて、または精白度調節と合わせて、玄米投入時より多くの量の初期精白処理米をチャージタンク１６ｃに貯留するように切替弁１６ｊを制御し、籾摺精米の終了間際に精米機１６に追加することにより、玄米投入の場合より多くの量について長い循環時間で、かつ、精米機内に十分な量が充填されて精米処理できるので精白圧力が確保されて籾摺不足を補うことができる。
【００２０】
（起動処理）
次に、籾摺精米設備を起動する際の米種判別に伴う制御処理について説明する。
投入ホッパ１２の米種センサ１２ｄによる籾・玄米の米種判別手段を備える籾摺精米設備において、その処理手順図を図５に示すように、利用者が白度ボタン１１ｄを選択する前にその判別ができない場合（Ｓ１，Ｓ１ａ）は、ぶ搗き選択を可能として籾摺精米設備を起動（Ｓ２〜Ｓ５）し、「ぶ搗き」が選択されていても起動後の所定時間経過後の判別処理（Ｓ６）により籾の判別がされれば精米白度を「標準」に強制変更（Ｓ７）するとともに、対応のランプ表示をするように制御処理を構成する。
【００２１】
精米工程おける白度については、籾について白度を「ぶ搗き」とすると精米機の圧力が「標準」より低いために籾が混じりやすくなることから、籾であることが判別された時点で白度を「標準」に変更することによって上記トラブルを防止することができ、また、利用者にとってもランプ表示により取扱いの変更を容易に認識することができる。
【００２２】
上記制御構成に対し、精米機までの工程を先行起動させて米種判別を行うように構成した場合は、料金投入後において、白度ボタン１１ｄの選択前に米種判別を行い、判別結果が「籾」の場合は「ぶ搗き」の白度選択を不可とするように制御構成することができる。したがって、起動後に「籾」と判別された結果白度が「標準」に強制移行されることによる違和感を解消することができる。
【００２３】
次に、籾についての白度制御について説明する。
米種判別により籾と判別された場合は、玄米と異なる白度制御を行う。白度調節のための精白圧力については、例えば、圧力ゼロから最高圧までの精米圧力の設定位置を０〜１５の範囲とした場合に、玄米の白度処理は、上白、標準、８ぶ、５ぶの各白度についてそれぞれ１２，１０，９，７の精米位置による圧力設定とし、これに対して、籾の白度処理は、上白、標準、８ぶ、５ぶの各白度についてそれぞれ１３，１２，１０，９の精米位置による高めの圧力設定とする。
【００２４】
このように米種に応じた圧力設定とすることにより、籾について玄米と同様の感覚で違和感の無い白度選択により、ぶ搗きの白度選択規制を利用者に強いることなく籾混入を防止することができる。
【００２５】
次に、籾の処理に際して対象量が少ない場合の取扱いについて説明する。
利用者がぶ搗きの白度選択をし、投入された米種が籾と判別されて籾摺精米設備が起動された後に少量処理であることが判別された場合は、少量の籾の籾摺精米によって白米中に籾の混入が比較的多くなるので、そのような事態を防止するために以下のように制御処理を行う。
【００２６】
「ぶ搗き」位置またはそれより低い圧力の精米位置で精米しつつ循環精米を行う。上記の「少量」であることの判断は、投入ホッパ１２の穀粒センサ１２ｂのオン時間が所定の時間に満たないことを判断基準とする。精米機の起動後は、通常の初期精米循環終了後も設定白度位置にて継続して行い、石抜機の残米排出完了時まで循環精米を行う。投入ホッパ１２の穀粒センサ１２ｂがオンであることを条件に精米排出を客室に行う。このように制御処理することにより、籾についてのぶ搗きが可能となる。
【００２７】
（センサ異常処理）
次に、センサ異常時の籾摺精米設備の制御について説明する。
籾摺精米設備の起動後の所定時間以内に精米機上部の玄米タンク１６ｔの満量を検知する玄米タンク満量センサ１６ｆがオンした場合はそのセンサ信号によるインターロックを解除して処理を続行する。このように運転制御することにより、センサ異常による運転停止を回避して処理が続行され、故障停止回数を減らすことができる。
【００２８】
また、玄米タンク１６ｔの空を検知する玄米タンク下限センサ１６ｂがオンする前にタンク満量を検知する玄米タンク満量センサ１６ｆが所定時間以内にオンした場合についても、上記同様に、玄米タンク満量センサ１６ｆのセンサ信号に伴うインターロックを解除して処理を続行する。これにより、センサ異常による運転停止を回避して処理が続行され、故障停止回数を減らすことができる。なお、所定の時間経過後で玄米タンクがオンであればインターロック制御を行う。
【００２９】
（玄米切換部）
次に、玄米切換部の構成について説明する。
玄米切換装置１４ｃは電動切換弁により構成され、昇降機投げ口１４ｈから石抜機１５に案内する穀粒を客室３側に戻す際に切換え制御される。従来、玄米切換装置１４ｃと昇降機投げ口１４ｈとは個別に構成され、昇降機投げ口１４ｈに点検口を備え、ボルト締結のフランジ接続により複雑に構成され、また、メンテナンスの際は個々の取付け、取外し、および切換弁の軸合わせのために多くの工数を要していた。
【００３０】
上記構成に伴う問題を解決すべく、玄米切換装置１４ｃは、その要部構成図（ａ）とそのＢ矢視図（ｂ）を図６に示すように、昇降機投げ口１４ｈを合わせて一体化し、玄米切換装置１４ｃのモータベース１４ｂを取付ける開口に点検口の役割を持たせ、モータベース１４ｂの取付けボルトを外すと切換弁一式がケーシングと分離可能に構成する。
【００３１】
このように構成することにより、接続フランジを廃してケーシング構成が簡易化され、玄米切換装置１４ｃの切換弁の一体的な取扱いによりモータ軸の取付け調整を要することなく簡易に取付け・取外しができ、また、モータベース１４ｂ部の開口を点検口とする簡易な構成によって昇降機投げ口１４ｈの点検口を要することなく一体的な内部メンテナンスが可能となる。
【００３２】
（糠取出部）
次に、糠取出部の構成について説明する。
糠取出部１６ｐは、その内部透過斜視図を図７に示すように、客室３に臨んで糠の移送ダクト１６ｄを連通して構成し、そのまわりを囲んでフード１６ｈを設ける。フード１６ｈの底部は糠が通過可能な透過型に形成し、こぼれた糠が機械室内に入るように構成する。このように構成することにより、糠取出部１６ｐに利用者が袋Ｂをセットして糠を持ち帰る際に糠がこぼれても客室３側に散乱することがなく、客室内の美化を保つことができる。
【図面の簡単な説明】
【００３３】
【図１】籾摺精米設備の一例を示すシステム展開図である。
【図２】籾摺精米設備の機器配置図である。
【図３】仕切壁の客室側正面図である。
【図４】操作部の見取図である。
【図５】籾摺精米設備の起動処理手順図である。
【図６】玄米切換部の要部構成図（ａ）とそのＢ矢視図（ｂ）である。
【図７】糠取出部の内部透過斜視図である。
【符号の説明】
【００３４】
２  機械室
３  客室
１１ａ  操作部
１１ｂ  コイン処理部
１２  投入ホッパ
１２ｂ  穀粒センサ
１３  白米タンク
１４  籾摺機
１４ｅ  昇降機
１５  異物選別機（石抜機）
１６  精米機
１６ａ  排出路
１６ｂ  玄米タンク下限センサ
１６ｃ  チャージタンク
１６ｅ  昇降機
１６ｊ  切替弁
１６ｔ  玄米タンク
【図１】
0004697448.tif 000002
【図２】
0004697448.tif 000003
【図３】
0004697448.tif 000004
【図４】
0004697448.tif 000005
【図５】
0004697448.tif 000006
【図６】
0004697448.tif 000007
【図７】
0004697448.tif 000008